(57)【特許請求の範囲】
【請求項１】
第１電源ラインが接続され、第１信号が入力又は出力される第１処理部と、
第２電源ラインが接続され、第２信号が入力又は出力される第２処理部とを備え、
該第１電源ライン及び該第２電源ラインの電源がオフ状態において、該第１信号の電圧が該第１電源ラインに供給され、さらに、該第１電源ラインから寄生ダイオードを介して該第２処理部に漏れ電流が流れるものであって、
該第１電源ラインに供給された電圧を、該第２電源ラインに供給することにより、寄生ダイオードのカソード電位を、寄生ダイオードがオンできる電位よりも高くすることで、該第１電源ラインから寄生ダイオードを介して該第２処理部に漏れ電流が流れないようにする電圧供給手段をさらに備える、データ処理装置。
【請求項２】
第１電源ラインが接続され、第１信号が入力又は出力される第１処理部と、
第２電源ラインが接続され、第２信号が入力又は出力される第２処理部とを備え、
該第２処理部が、該第２電源ラインから動作電圧が供給されている状態において、制御電極に制御信号が供給されることによりオンオフ動作を実行し、かつ、該第２電源ラインから動作電圧が供給されていない状態において、オンオフ動作を実行せず、漏れ電流が入力側又は出力側に流れるスイッチ素子を含み、
該第１電源ライン及び該第２電源ラインの電源がオフ状態において、該第１信号の電圧が該第１電源ラインに供給され、
該第１電源ラインに供給された電圧を、該第２電源ラインに供給することにより、該第２電源ラインから動作電圧を該スイッチ素子に供給する電圧供給手段をさらに備える、データ処理装置。
【請求項３】
前記電圧供給手段が、アノードが前記第１電源ラインに接続され、カソードが前記第２電源ラインに接続されたショットキーバリアダイオードである、請求項１または２に記載のデータ処理装置。
【発明の詳細な説明】
【技術分野】
【０００１】
本発明は、第１電源ライン及び第２電源ラインが接続され、入出力される第１信号および第２信号を処理するデータ処理装置に関する。
【背景技術】
【０００２】
近年、映像データや音声データといったコンテンツデータを供給するソース機器と、コンテンツデータを受け取るシンク機器やリピータ機器といった受信機器とで構成されるＡＶシステムが普及している。ソース機器は、たとえば、ＤＶＤ（Digital Versatile Disk）プレーヤや、ＢＤ（Blue-ray Disc）プレーヤ、ＨＤＤＶＤ（High
Definition DVD）プレーヤ等である。また、シンク機器は、たとえば、ＬＣＤ（Liquid Crystal Display）、ＰＤＰ（Plasma Display Panel）、プロジェクタ等である。リピータ機器は、たとえば、ＡＶアンプや、ＡＶレシーバである。これらの機器は、ＨＤＭＩ規格に準拠しており、ＨＤＭＩケーブルを介して相互に接続される。
【０００３】
図３は、一般的なＡＶアンプ３０の要部を説明する概略ブロック図である。ＡＶアンプ３０は、ＨＤＭＩ処理部１１と、制御部１２と、コネクタ１３、１４とを備えている。コネクタ１３にはＨＤＭＩケーブルを介して、例えばＤＶＤプレーヤが接続される。コネクタ１４にはＨＤＭＩケーブルを介して、例えばディスプレイ装置が接続される。
【０００４】
ＨＤＭＩのラインには、主に３種類のライン（ホットプラグライン、ＤＤＣライン、ＴＭＤＳライン）が含まれる。ＴＭＤＳは、ＤＶＤプレーヤからＡＶアンプにＨＤＭＩ規格に準拠したコンテンツデータを送信するものである。ホットプラグは、ＡＶアンプからＤＶＤプレーヤにＡＶアンプの設定変更等（例えば、セレクタの切換、ＨＤＭＩリンクの切断等）を通知するものである。ホットプラグ信号は、接続されていれば常時ハイレレベルである。ＤＤＣは、ＡＶアンプに関する情報（ＥＤＩＤ）をＤＶＤプレーヤが取得し、認証するためのものである。
【０００５】
ＡＶアンプ３０の電源ラインには、２系統の電源ライン（５Ｖ電源ラインおよび３．３Ｖ電源ライン）が設けられている。ホットプラグおよびＤＤＣには５Ｖ電源ラインが接続されており、ＴＭＤＳには３．３Ｖ電源ラインが接続されている。
【０００６】
ＡＶアンプ３０には、次のような問題が発生する。ＡＶアンプ３０の電源がオフ状態（５Ｖ電源ライン、３．３Ｖ電源ラインが共に０Ｖ）の時に、接続されているＤＶＤプレーヤの電源がオン状態であれば、ＤＶＤプレーヤからホットプラグライン、ＤＤＣライン、ＴＭＤＳラインまたはその他のライン（例えば＋５Ｖ電源ライン）を介して、ＡＶアンプ３０に電圧が供給される。この電圧に基づいて、ＨＤＭＩ処理部１１の内部において、漏れ電流が流れ、ＨＤＭＩ処理部１１の動作が不安定になり、誤動作が生じるという問題がある。以下、図４を参照して、詳述する。
【０００７】
図４は、ＨＤＭＩ処理部１１の内部構成の一部を示す概略回路図である。ＨＤＭＩ処理部１１は、コネクタ１３とＴＭＤＳラインを介して接続されるＴＭＤＳ処理部２１と、コネクタ１３とホットプラグラインを介して接続されるホットプラグ処理部２２と、コネクタ１３とＤＤＣラインを介して接続されるＤＤＣ処理部２３とを含む。ＴＭＤＳ処理部２１には３．３Ｖ電源ラインが接続され、ホットプラグ処理部２２およびＤＤＣ処理部２３には５Ｖ電源ラインが接続されている。また、ＨＤＭＩ処理部１１は、ＩＣによって構成されるので、積層されたＰ型半導体とＮ型半導体との間、または、ＩＣ内部のスイッチ素子（例えばトランジスタ、ＦＥＴ）を構成するＰ型半導体とＮ型半導体との間などに寄生ダイオード（例えば、Ｄ５１、Ｄ５２等）が生成される。
【０００８】
ＡＶアンプ３０が電源オフ状態のときには、３．３Ｖ電源ラインおよび５Ｖ電源ラインは共に０Ｖである。このとき、ＤＶＤプレーヤからＴＭＤＳラインを介して供給される電圧は、ダイオードＤ１または図示しない寄生ダイオードを介して３．３Ｖ電源ラインへと供給され、３．３Ｖ電源ラインに電圧が発生する。３．３Ｖ電源ラインに発生した電圧による漏れ電流が、寄生ダイオードＤ５１を介して、ホットプラグ処理部２２内（例えば、ＭＯＳＦＥＴＱ１のソース）に流れ込み、漏れ電流によりホットプラグ処理部２２の動作が不安定になる。
【０００９】
同様に、ＤＶＤプレーヤからＤＤＣラインを介して供給された電圧による漏れ電流が、寄生ダイオードＤ５２を介して、ホットプラグ処理部２２内（例えばＭＯＳＦＥＴＱ１のソース）に流れ込み、漏れ電流によってホットプラグ処理部２２の動作が不安定になる。
【００１０】
すなわち、ホットプラグ処理部２２は、漏れ電流による電圧を出力することによって、ハイレベのホットプラグ信号をＤＶＤプレーヤやディスプレイ装置に対して出力することになる。ＤＶＤプレーヤは、ハイレベルのホットプラグを検出して、ＡＶアンプが電源オン状態であることを誤認識する。その結果、ＤＶＤプレーヤは、ＤＤＣラインを介して、ＥＤＩＤを取得するための信号をＡＶアンプ３０に送信するが、ＡＶアンプ３０は電源オフ状態であるので、いつまでもＥＤＩＤを取得することができず、ＥＤＩＤを所得するための信号を継続して送信し続けることになる。これにより、ＡＶアンプ３０からノイズが発生するなどの問題が生じる。
【００１１】
なお、上記のような問題は、ホットプラグ処理部２２内だけでなく、ＤＤＣ処理部２３においても同様に生じる。
【００１２】
さらには、５Ｖ電源ラインがオフ状態であるので、ホットプラグ処理部２２内のＭＯＳＦＥＴＱ１には十分な動作電圧が供給されていない。そのため、ＤＶＤプレーヤからホットプラグラインを介して供給される電圧によって、漏れ電流がＭＯＳＦＥＴＱ１を介して出力側（ディスプレイ装置側）に流れてしまい、出力側に誤動作を引き起こさせるという問題がある。
【００１３】
同様に、５Ｖ電源ラインがオフ状態であるので、ＤＤＣ処理部２３内のＭＯＳＦＥＴＱ２には動作可能な電圧が供給されていない。そのため、ＤＶＤプレーヤからＤＤＣラインを介して供給される電圧によって、漏れ電流がＭＯＳＦＥＴＱ２を介して出力側（ディスプレイ装置側）に流れてしまい、出力側に誤動作を引き起こさせるという問題がある。
【００１４】
なお、ＴＭＤＳ処理部２１においても、ＤＶＤプレーヤからＴＭＤＳラインを介して供給される電圧によって、漏れ電流が出力側へと流れてしまうが、ＴＭＤＳ処理部２１の後段には、他の複数のスイッチ素子（ＭＯＳＦＥＴ等）が設けられているので、スイッチ素子によって遮断され、ディスプレイ装置まで供給されることはない。
【００１５】
このような問題を解決するために、図５および図６に示すＡＶアンプ５０が提案されている。図５に示すように、ＡＶアンプ５０には、ＨＤＭＩ処理部１１とコネクタ１３との間のホットプラグラインおよびＤＤＣラインに、スイッチ部５１が設けられている。ＡＶアンプ５０の電源がオフ状態のときには、スイッチ部５１をオフ状態にすることにより、ＤＶＤプレーヤからホットプラグラインやＤＤＣラインを介して電圧が供給されることを阻止し、さらに、漏れ電流によってハイレベルのホットプラグ信号がホットプラグラインを介してＤＶＤプレーヤに誤検出されることを防止する。詳細には、図６に示すように、ホットプラグ処理部２２とコネクタ１３との間にＭＯＳＦＥＴＱ５１が接続され、ＤＤＣ処理部２３とコネクタ１３との間にＭＯＳＦＥＴＱ５２が接続され、ＡＶアンプ５０の電源がオフ状態のときには、マイコンからの制御信号によってＭＯＳＦＥＴＱ５１、Ｑ５２をオフ状態にする。
【００１６】
しかし、ＡＶアンプ５０においては、ＭＯＳＦＥＴＱ５１、Ｑ５２を設ける必要があり（実回路では６つのＭＯＳＦＥＴが必要である）、さらに、マイコンに複数のＭＯＳＦＥＴをオンオフ制御するためのポートを設ける必要があり、部品点数が多くなり、コストが増大するという問題がある。
【００１７】
【特許文献１】特許第３９５２０７７号
【発明の開示】
【発明が解決しようとする課題】
【００１８】
本発明は上記従来の課題を解決するためになされたものであり、その目的は、部品点数を増加させることなく、簡単な構成で、ＨＤＭＩ処理部内での漏れ電流によって誤動作が発生することを防止するデータ処理装置を提供することである。
【課題を解決するための手段】
【００１９】
本発明の好ましい実施形態によるデータ処理装置は、第１電源ラインが接続され、第１信号が入力又は出力される第１処理部と、第２電源ラインが接続され、第２信号が入力又は出力される第２処理部とを備え、該第１電源ライン及び該第２電源ラインの電源がオフ状態において、該第１信号の電圧が該第１電源ラインに供給され、さらに、該第１電源ラインから寄生ダイオードを介して該第２処理部に漏れ電流が流れるものであって、該第１電源ラインに供給された電圧を、該第２電源ラインに供給することにより、寄生ダイオードのカソード電位を、寄生ダイオードがオンできる電位よりも高くすることで、該第１電源ラインから寄生ダイオードを介して該第２処理部に漏れ電流が流れないようにする電圧供給手段をさらに備える。
【００２０】
第１電源ライン及び第２電源ラインの電源がオフ状態（すなわち、電圧が０のとき）に、第１信号の電圧は、第１電源ラインに供給される。電圧供給手段は、第１電源ラインに供給された電圧を第２電源ラインに供給する。第１電源ラインから第２処理部には寄生ダイオードを介して漏れ電流が流れるが、第２電源ラインに電圧を供給することにより、寄生ダイオードのカソード電位を高くすることができ、寄生ダイオードを介して漏れ電流が流れることを防止することができる。従って、ＭＯＳＦＥＴやマイコンのポートを設けることなく、簡単な構成で、第２処理部において、漏れ電流によって動作が不安定になることを防止でき、各部の誤動作を防止できる。
【００２１】
本発明の別の好ましい実施形態によるデータ処理装置は、第１電源ラインが接続され、第１信号が入力又は出力される第１処理部と、第２電源ラインが接続され、第２信号が入力又は出力される第２処理部とを備え、該第２処理部が、該第２電源ラインから動作電圧が供給されている状態において、制御電極に制御信号が供給されることによりオンオフ動作を実行し、かつ、該第２電源ラインから動作電圧が供給されていない状態において、オンオフ動作を実行せず、漏れ電流が入力側又は出力側に流れるスイッチ素子（例えばＦＥＴ）を含み、該第１電源ライン及び該第２電源ラインの電源がオフ状態において、該第１信号の電圧が該第１電源ラインに供給され、  該第１電源ラインに供給された電圧を、該第２電源ラインに供給することにより、該第２電源ラインから動作電圧を該スイッチ素子（例えばＦＥＴ）に供給する電圧供給手段をさらに備える。
【００２２】
第１電源ライン及び第２電源ラインの電源がオフ状態（すなわち、電圧が０のとき）に、第１信号の電圧は、第１電源ラインに供給される。電圧供給手段は、第１電源ラインに供給された電圧を第２電源ラインに供給する。第２電源ラインの電圧がないと、第２処理部のＦＥＴは漏れ電流が流れ動作が不安定になり、各部に誤動作が生じるが、第２電源ラインに電圧を供給することにより、ＦＥＴが正常に動作を行い、ＦＥＴに漏れ電流が流れることを防止できる。従って、ＭＯＳＦＥＴやマイコンのポートを設けることなく、簡単な構成で、第２処理部において、漏れ電流によって動作が不安定になることを防止でき、各部の誤動作を防止できる。
【００２３】
好ましい実施形態においては、前記電圧供給手段が、アノードが該第１電源ラインに接続され、カソードが前記第２電源ラインに接続されたショットキーバリアダイオードである。
【００２４】
ショットキーバリアダイオードは、ＰＮ接合ダイオードよりも順方向電圧効果が低い。従って、第１電源ラインから第２電源ラインに大きな電圧を供給することができ、その結果、ＦＥＴに正常な動作電圧に近い電圧を供給することができる。さらに、トランジスタやＩＣ内部で生じる寄生ダイオードはＰＮ接合ダイオードであるので、第１電源ラインの電圧からショットキーバリアダイオードの順方向電圧降下を減算した電圧を、寄生ダイオードのカソードに供給することで、寄生ダイオードを確実にオフ状態にでき、漏れ電流が第２処理部に流れることを防止できる。
【００２５】
好ましい実施形態においては、前記第１信号の電圧が寄生ダイオードを介して前記第１電源ラインに供給される。
【００２６】
この場合、寄生ダイオードを介して第１電源ラインに供給される漏れ電圧を利用して、第２処理部内に漏れ電流が流れることを防止できる。
【００２７】
好ましい実施形態においては、前記データ処理装置は、ＨＤＭＩ規格に準拠しており、前記第２信号がホットプラグである。
【００２８】
第２信号がホットプラグである場合、第２処理部内で漏れ電流が流れると、ＨＤＭＩ規格で接続される外部機器が、ホットプラグを誤検出して、接続機器が電源オン状態であると誤判断し、認証処理を繰り返して実行するようになり、ノイズが発生するなどの問題が生じる。従って、第２信号がホットプラグであるデータ処理装置に上記構成を適用することによって、ホットプラグの誤検出を防止できるというきわめて優れた効果が得られる。
【発明の効果】
【００２９】
ＭＯＳＦＥＴやマイコンのポートを設けることなく、簡単な構成で、第２処理部において、漏れ電流によって動作が不安定になることを防止でき、各部の誤動作を防止できる。
【発明を実施するための最良の形態】
【００３０】
以下、本発明の好ましい実施形態について説明するが、本発明はこれらの実施形態には限定されない。
【００３１】
図１は、本発明の好ましい実施形態によるＡＶアンプ１０の要部を説明する概略ブロック図である。ＡＶアンプ１０は、ＨＤＭＩ（High-Definition Multimedia Interface）規格に準拠した機器であり、リピータ機器と呼ばれている。ＡＶアンプ１０は、ＨＤＭＩ処理部１１と、制御部１２と、コネクタ１３、１４と、電圧供給手段（Ｄ２０）とを備えている。コネクタ１３にはＨＤＭＩケーブルを介して、例えば、ソース機器であるＤＶＤプレーヤが接続される。コネクタ１４にはＨＤＭＩケーブルを介して、例えば、シンク機器であるディスプレイ装置が接続される。
【００３２】
ＨＤＭＩのラインには、主に３種類のライン（ホットプラグライン、ＤＤＣライン、ＴＭＤＳライン）が含まれる。ＴＭＤＳ（Transition Minimized Differential Signaling）ラインは、ＤＶＤプレーヤからＡＶアンプ１０にＨＤＭＩ規格に準拠したコンテンツ（映像および音声）データ（以下、ＨＤＭＩデータという。）を送信するためのラインである。ホットプラグラインは、ＡＶアンプ１０からＤＶＤプレーヤにＡＶアンプ１０の設定変更等（例えば、セレクタの切換、ＨＤＭＩリンクの切断等）を通知するためのラインである。ホットプラグ信号は、接続されていれば常時ハイレレベルである。ＤＤＣ（Display Data Channel）ラインは、ＡＶアンプ１０に関する情報（ＥＤＩＤ：Extended Display Identification Data）をＤＶＤプレーヤが取得するためのラインである。
【００３３】
ＡＶアンプ１０の電源ラインには、２系統の電源ライン（５Ｖ電源ラインおよび３．３Ｖ電源ライン）が設けられている。ホットプラグおよびＤＤＣには５Ｖ電源ラインが接続されており、ＴＭＤＳには３．３Ｖ電源ラインが接続されている。
【００３４】
制御部１２は、ＡＶアンプ１０の各部を制御するものであり、具体的には、ＨＤＭＩ処理部１１を制御する。
【００３５】
ＨＤＭＩ処理部１１は、ＤＶＤプレーヤから送信された各信号に所定の処理を実行して、後段に出力するものである。または、ＨＤＭＩ処理部１１は、ＤＶＤプレーヤから送信された各信号をそのまま後段に出力する。例えば、ＨＤＭＩ処理部１１は、コネクタ１３が複数設けられており複数のＤＶＤプレーヤがＡＶアンプ１０に接続される場合に、１つのＤＶＤプレーヤから送信される各信号を選択して後段に出力するセレクタ（スイッチャ）としての処理を実行する。または、ＨＤＭＩ処理部１１は、ＤＶＤプレーヤから送信されたＨＤＭＩデータを元の音声データおよび映像データに変換し、音声データを図示しないアンプ部に供給し、映像データを再びＨＤＭＩデータに変換して、コネクタ１４に接続されるディスプレイ装置に出力する。
【００３６】
図２は、ＨＤＭＩ処理部１１の内部構成の一部および電圧供給手段を示す概略回路図である。ＨＤＭＩ処理部１１は、ＴＭＤＳ処理部２１と、ホットプラグ処理部２２と、ＤＤＣ処理部２３とを含む。
【００３７】
ＴＭＤＳ処理部２１は、外部との間でＴＭＤＳ信号を入出力する。すなわち、ＴＭＤＳ処理部２１は、３．３Ｖ電源ラインが接続されており、ＤＶＤプレーヤからＴＭＤＳラインを介してＴＭＤＳ信号（ＨＤＭＩデータ）が供給され、ＴＭＤＳ信号に所定の処理を実行して、後段（出力部）に出力する。ＴＭＤＳ処理部２１は、例えば、ダイオードＤ１〜Ｄ４を有している。
【００３８】
ホットプラグ処理部２２は、外部との間でホットプラグ信号を入出力する。すなわち、ホットプラグ処理部２２は、５Ｖ電源ラインが接続されており、ＤＶＤプレーヤに対して、ハイレベルまたはローレベルのホットプラグ信号を出力する。ホットプラグ処理部２２は、例えば、ダイオードＤ５〜Ｄ８、スイッチ素子であるＦＥＴ（ＭＯＳＦＥＴ）Ｑ１を有している。ホットプラグ処理部２２は、５Ｖ電源ラインから動作電圧が供給され、制御部１２からコントロール信号がＭＯＳＦＥＴＱ１のゲートに供給され、ＭＯＳＦＥＴＱ１がオンオフ動作することにより、ハイレベルまたはローレベルのホットプラグ信号を出力する。
【００３９】
ＤＤＣ処理部２３は、外部との間でＤＤＣ信号を入出力する。すなわち、ＤＤＣ処理部２３は、５Ｖ電源ラインが接続されており、ＤＶＤプレーヤに対して、ＥＤＩＤを出力する。なお、ＤＤＣ処理部２３には、ＤＤＣデータと、ＤＤＣクロックとの２つ処理部が存在するが、ここでは簡単のため１つのみを記載している。ＤＤＣ処理部２３は、例えば、ダイオードＤ９〜Ｄ１２、スイッチ素子であるＦＥＴ（ＭＯＳＦＥＴ）Ｑ２を有している。
【００４０】
ＨＤＭＩ処理部１１は、代表的にはＩＣ(integrated circuit)によって構成されているので、積層されたＰ型半導体とＮ型半導体との間、または、ＩＣ内部のトランジスタを構成するＰ型半導体とＮ型半導体との間などに、寄生ダイオードが発生する。従って、寄生ダイオードは、ＰＮ接合ダイオードである。例えば、３．３Ｖ電源ラインと、ホットプラグ処理部２２内のＭＯＳＦＥＴＱ１のソースとの間に寄生ダイオードＤ５１（２つのダイオード）が存在し、ＤＤＣ処理部２３の入力端と、ホットプラグ処理部２２内のＭＯＳＦＥＴＱ１のソースとの間に寄生ダイオードＤ５２が存在する。また、その他の箇所にも寄生ダイオードが発生するが、簡単のため省略する。
【００４１】
ＡＶアンプ１０の電源がオフ状態の時に、３．３Ｖ電源ラインおよび５Ｖ電源ラインの電源がオフ状態であり、電源電圧は０Ｖである。しかし、ＤＶＤプレーヤ１０からＴＭＤＳラインを介して供給されるＴＭＤＳの電圧が、ダイオードＤ１または図示しない寄生ダイオードを介して３．３Ｖ電源ラインに供給され、３．３Ｖ電源ラインに、例えば２Ｖの電圧が発生する。
【００４２】
電圧供給手段は、ＴＭＤＳラインを介して３．３Ｖ電源ラインに供給された電圧を、５Ｖ電源ラインにも供給するものである。５Ｖ電源ラインに電圧を供給することにより、ＭＯＳＦＥＴＱ１、Ｑ２のドレイン、ソースに動作電圧を供給し、ＭＯＳＦＥＴＱ１、Ｑ２のソース−ドレインに漏れ電流が流れることを防止する。ここでいう漏れ電流は、ホットプラグ処理部２２に着目すると、例えば、ＤＶＤプレーヤ側からホットプラグラインを介して供給される電圧による漏れ電流や、ＤＶＤプレーヤ側からＤＤＣラインを介して供給され、寄生ダイオードＤ５２を介してホットプラグ処理部２２に供給される漏れ電流等である。
【００４３】
また、電圧供給手段は、５Ｖ電源ラインに電圧を供給することにより、寄生ダイオードＤ５１のカソード電位を高くして、３．３Ｖ電源ラインから寄生ダイオードＤ５１を介してホットプラグ処理部２２や、ＤＤＣ処理部２３に漏れ電流が流れることを防止する。
【００４４】
電圧供給手段は、ダイオードＤ２０を含む。ダイオードＤ２０のアノードは３．３Ｖ電源ラインに接続され、カソードは５Ｖ電源ラインに接続されている。ダイオードＤ２０が設けられることにより、３．３Ｖ電源ラインに生じる電圧からダイオード２０の順方向電圧降下を減算した電圧が、５Ｖ電源ラインに供給される。
【００４５】
ダイオードＤ２０は、好ましくは、ショットキーバリアダイオードである。ショットキーバリアダイオードはＰＮ接合ダイオードよりも順方向電圧降下が低く、ＰＮ接合ダイオードの順方向電圧降下が約０．６Ｖであるのに対して、ショットキーバリアダイオードの順方向電圧降下は約０．３Ｖである。そのため、ショットキーバリアダイオードを使用することで、３．３Ｖ電源ラインから５Ｖ電源ラインにより高い電圧を供給できるので、ＭＯＳＦＥＴＱ１のドレイン、ソースに正常な動作電圧により近い電圧を供給できる。
【００４６】
さらに、寄生ダイオードＤ５１のカソードが接続されているＭＯＳＦＥＴＱ１のソースは５Ｖ電源ラインとほぼ同電位（実際には、ダイオードＤ６の電圧を減算した値）であり、寄生ダイオードＤ５１は順方向電圧降下が０．６Ｖである（例えば２つ接続されていると１．２Ｖである）ので、ダイオードＤ２０にショットキーバリアダイオードを使用することで、寄生ダイオードＤ５１のカソード電位を、寄生ダイオードＤ５１がオンできる電位よりも高くすることができ、寄生ダイオードＤ５１をオフ状態にすることができる。従って、寄生ダイオードＤ５１を介して漏れ電流がＭＯＳＦＥＴＱ１に流れることを防止できる。
【００４７】
以上の構成を有するＡＶアンプ１０について、その動作及び作用効果を説明する。
［５Ｖ電源ライン、３．３Ｖ電源ラインがオン状態の時］
３．３Ｖ電源ラインがオン状態であるので、ＴＭＤＳ処理部２１において、ＴＭＤＳラインを介してＤＶＤプレーヤ側から供給されるＴＭＤＳの電圧は、３．３Ｖ電源ラインの電圧の方が高いので、３．３Ｖ電源ラインには供給されない。また、５Ｖ電源ラインがオン状態であるので、ホットプラグ処理部２２において、ＭＯＳＦＥＴＱ１に正常な動作電圧が供給され、コントロール信号によってオンオフ動作を実行し、ホットプラグ信号をハイレベルまたはローレベルにする正常な動作を実行する。従って、ＭＯＳＦＥＴＱ１から漏れ電流が流れない。なお、ＤＤＣ処理部２３についても同様である。
【００４８】
［５Ｖ電源ライン、３．３Ｖ電源ラインがオフ状態の時］
５Ｖ電源ライン及び３．３Ｖ電源ラインは０Ｖであるので、ＴＭＤＳ処理部２１において、ＴＭＤＳラインを介してＤＶＤプレーヤ側から供給されるＴＭＤＳの電圧は、３．３Ｖ電源ラインの電圧の方が低いので、３．３Ｖ電源ラインにダイオードＤ１または寄生ダイオードを介して供給される。３．３Ｖ電源ラインの電圧は、例えば、２Ｖである。３．３Ｖ電源ラインに供給された電圧は、ショトッキーバリアダイオードＤ２０を介して５Ｖ電源ラインにも供給される。ショットキーバリアダイオードＤ２０の順方向電圧降下は０．３Ｖであるので、５Ｖ電源ラインの電圧は、１．７Ｖである。
【００４９】
ホットプラグ処理部２２においては、寄生ダイオードＤ５１のアノード電圧が２Ｖ、カソード電圧が１．１Ｖ（ＭＯＳＦＥＴＱ１のソース電圧であり、５Ｖ電源ライン１．７Ｖ−ダイオードＤ６の電圧０．６Ｖ）であるので、カソード電圧が寄生ダイオードＤ５１がオンする０．８Ｖ以下にならず、寄生ダイオードＤ５１はオフ状態になり、３．３Ｖ電源ラインからＭＯＳＦＥＴＱ１のソースに漏れ電流が流れることが防止される。従って、漏れ電流によってホットプラグ処理部２２が不安定になり、誤動作することを防止することができる。
【００５０】
また、５Ｖ電源ラインに１．７Ｖの電圧が供給されると、ＭＯＳＦＥＴＱ１のドレイン、ソースにダイオードＤ５、Ｄ６の電圧を減算した電圧が供給される。この電圧は、ＭＯＳＦＥＴＱ１の動作電圧に近い電圧である。そして、ＭＯＳＦＥＴＱ１のゲートにはコントロール信号が供給されないので、ＭＯＳＦＥＴＱ１はオフ状態を維持する。ＭＯＳＦＥＴＱ１をオフ状態にすることにより、ホットプラグラインを介してＤＶＤプレーヤ側から電圧が供給されても、その電圧による漏れ電流が出力側に出力されることはなく、出力側で誤動作を引き起こすことを防止できる。
【００５１】
さらに、ＤＤＣラインを介してＤＶＤプレーヤ側から供給され、さらに、寄生ダイオードＤ５２を介してＭＯＳＦＥＴＱ１に供給される電圧による漏れ電流がホットプラグラインを介して、ＤＶＤプレーヤ側に出力されることを防止できる。特に、ＤＶＤプレーヤ側にホットプラグがハイレベルになったと誤認識されると、ＤＶＤプレーヤが継続して認証処理を実行し、ＡＶアンプ１０においてノイズが発生するが、そのような問題を解決できる。
【００５２】
同様に、ＤＤＣ処理部２３においては、寄生ダイオード（図示せず）のアノード電圧が２Ｖ、カソード電圧が１．１Ｖであるので、寄生ダイオードはオフ状態になり、３．３Ｖ電源ラインからＭＯＳＦＥＴＱ２に漏れ電流が流れることが防止される。従って、漏れ電流によってＤＤＣ処理部２３の動作が不安定になり、誤動作することを防止することができる。
【００５３】
また、５Ｖ電源ラインに１．７Ｖの電圧が供給されると、ＭＯＳＦＥＴＱ２のドレイン、ソースにダイオードＤ９、Ｄ１０の電圧を減算した電圧が供給される。この電圧は、ＭＯＳＦＥＴＱ２の動作電圧に近い電圧である。そして、ＭＯＳＦＥＴＱ２のゲートにはコントロール信号が供給されないので、ＭＯＳＦＥＴＱ２はオフ状態を維持する。ＭＯＳＦＥＴＱ２をオフ状態にすることにより、ＤＤＣラインを介してＤＶＤプレーヤ側から電圧が供給されても、その電圧による漏れ電流が出力側に出力されることを防止できる。さらに、ホットプラグラインを介してＤＶＤプレーヤ側から供給され、さらに、寄生ダイオード（図示せず）を介してＭＯＳＦＥＴＱ２に供給される電圧による漏れ電流がＤＤＣラインを介して、ＤＶＤプレーヤ側または出力側に出力され、誤動作を引き起こすことを防止することできる。
【００５４】
以上のように、本実施形態によると、３．３Ｖ電源ラインに供給された電圧を、電圧供給手段であるショットキーバリアダイオードＤ２０を介して、５Ｖ電ラインにも供給することにより、ＨＤＭＩ処理部１１内の例えばホットプラグ処理部２２やＤＤＣ処理部２３において漏れ電流による不安定な動作が防止される。
【００５５】
以上、本発明の好ましい実施形態を説明したが、本発明はこれらの実施形態には限定されない。ＨＤＭＩ処理部１１の内部構造は一例にすぎず、２系統の電源ラインを備えることおよびＨＤＭＩ処理部１１内部で漏れ電流が生じること、という条件があれば、任意に適切な構造が採用され得る。また、上記実施形態とは逆に、ホットプラグ、ＤＤＣに３．３Ｖ電源ラインが接続され、ＴＭＤＳに５Ｖ電源ラインが接続されてもよい。また、ＤＶＤプレーヤ側から他のラインを介して供給される電圧による漏れ電流についても同様に適用できる。また、ＡＶアンプ内部のＨＤＭＩ処理部を例に説明したが、ＤＶＤプレーヤ等のソース機器、ＬＣＤ等のシンク機器内のＨＤＭＩ処理部においても適用される。また、ＨＤＭＩ規格の機器に限定されず、ＨＤＭＩ規格と互換性のあるＤＶＩ規格等の任意の機器に適用できる。
【産業上の利用可能性】
【００５６】
本発明は、ＨＤＭＩ規格に準拠した、ＤＶＤプレーヤ等のソース機器、ＡＶアンプ等のリピータ機器、又は、ＬＣＤやＰＤＰ等のシンク機器に好適に採用され得る。
【図面の簡単な説明】
【００５７】
【図１】本発明の好ましい実施形態によるＡＶアンプ１０を示すブロック図である。
【図２】ＡＶアンプ１０のＨＤＭＩ処理部１１の内部構造を説明する回路図である。
【図３】従来のＡＶアンプ３０を示すブロック図である。
【図４】従来のＡＶアンプ３０のＨＤＭＩ処理部１１の内部構造を説明する回路図である。
【図５】従来のＡＶアンプ５０を示すブロック図である。
【図６】従来のＡＶアンプ５０のＨＤＭＩ処理部１１の内部構造を説明する回路図である。
【符号の説明】
【００５８】
１０            ＡＶアンプ
１１            ＨＤＭＩ処理部
１２            制御部
１３、１４      コネクタ
２１            ＴＤＭＳ処理部
２２            ホットプラグ処理部
２３            ＤＤＣ処理部
Ｄ２０          電圧供給手段
Ｑ１、Ｑ２      ＭＯＳＦＥＴ
【図１】
0004577527.tif 000002
【図２】
0004577527.tif 000003
【図３】
0004577527.tif 000004
【図４】
0004577527.tif 000005
【図５】
0004577527.tif 000006
【図６】
0004577527.tif 000007